(57)【要約】【課題】  従来の携帯電話を充電する発電装置は、電池電源や太陽光パネルによるもの、あるいは人力による手動連続操作で発電をするものであったので、災害時の物資補給がなく、夜間や多忙な時には、必ず必要である携帯電話の充電すら出来なかった。【解決手段】  この発電装置は、重りと、これを吊り下げるくさりと、このくさりと噛み合う回転方向規制構造のくさりギヤと、このくさりギヤの回転速度を調整する調速装置と、前記くさりギヤの回転速度を増速するギヤ装置と、電力を発生させる発電機とからなり、重りの降下するエネルギーを利用して、電力を発生させるようにした発電装置で、物資や自然エネルギーを必要とせず、人力による連続操作も必要とせず、夜間でも使用できるように構成している。【選択図】図１
2014043850.tif 000002
【特許請求の範囲】
【請求項１】
重りと、これを吊り下げるくさりと、このくさりと噛み合う回転方向規制構造のくさりギヤと、このくさりギヤに連結された回転速度を調整する調速装置と、前記くさりギヤに連結された回転速度を増速するギヤ装置と、このギヤ装置に連結された発電機とから構成したことを特徴とする発電装置。
【請求項２】
前記調速装置は、前記くさりギヤに軸により結合された調速ギヤ、この調速ギヤに噛み合わされた調速元ギヤ、この調速元ギヤに調速軸により結合された振子ギヤ、この振子ギヤに噛み合う振子ピン、この振子ピンを固着した振子支幹、この振子支幹の一端には振子、他端には振子支点を有することを特徴とする請求項１記載の発電装置。
【請求項３】
前記発電機の、発生電力を出力する変圧器と電源コンセントを、備えたことを特徴とする請求項１または請求項２記載の発電装置。
【発明の詳細な説明】
【技術分野】
【０００１】  この発明は、重りの自然落下エネルギーを利用した、災害時に使用する発電装置に関するものである。
【背景技術】
【０００２】  従来の携帯電話を充電する発電装置として、電池電源によるもの、太陽光パネルによるもの、人力による手動操作発電をするものがあったが、いずれも災害等で物資補給が途絶えた時、雨天や夜間あるいは人手の不足時には、災害時に必要な携帯電話ですら充電出来ないという状況になっていた。また、長いロープと錘を用いたものもあったが、これは高所に設置せねばならないこと、その他欠点が有り実用的でなかった。
【先行技術文献】
【特許文献】
【０００３】
【特許文献１】  特開２００５−２６１０５７号公報
【特許文献２】  特開２００３−６５２０８号公報
【特許文献３】  登録実用新案第３０９０５９４号公報
【特許文献４】  特開平成９−２０１００６号公報
【発明の概要】
【発明が解決しようとする課題】
【０００４】  上記のように、従来の携帯電話の充電には、資源エネルギや太陽光エネルギを必要としたり、人力を連続して加え続けないと、その目的を達成することが出来なかった。【０００５】  この発明は、上記のような問題点を解決するためになされたもので、自然に落下する重りのエネルギーで発電機を動作させ、手動式であるが殆ど手間を要しない、発電装置を得ることを目的とする。
【課題を解決するための手段】
【０００６】  重りと、これを吊り下げるくさりと、このくさりと噛み合う回転方向規制構造のくさりギヤと、このくさりギヤに連結された回転速度を調整する調速装置と、前記くさりギヤに連結された回転速度を増速するギヤ装置と、このギヤ装置に連結された発電機とから構成したものである。
【発明の効果】
【０００７】  この発明の発電装置は、くさりに繋いだ重りの降下エネルギーを発電機に伝え、電力を発生させる方法としたので、電池や太陽光のような自然エネルギーを必要とせず、人力を連続して加える必要もなく、災害で非常事態の多忙な時あるいは雨天、昼夜に関係なく、使用出来るので大きな効果が得られる。また、消費電力の少ないＬＥＤなつめ球が市販されており、相当数同時に点灯することができるので、青、赤、緑その他種々な色のものを点灯させれば、被災者の心を和ませる照明とすることもできる。それに、全く自然エネルギーを必要としないので経済的であるし、数時間に一度重りを引き上げる操作だけでよいので手間も要しない。
【図面の簡単な説明】
【０００８】
【図１】は、この発明の発電装置の一部破断斜視図である。
【図２】は、図１の調速装置の動作を示す詳細斜視図である。
【図３】は、図１のくさりとくさりギヤの噛み合い状況を示す詳細斜視図である。
【図４】は、この発明の発電装置を固定する打込設置具である。
【図５】は、この発明の発電装置を固定する三脚設置具である。
【発明を実施するための形態】
【実施例１】
【０００９】  図は、この発明の一実施形態を示すもので、図１は、発電装置の一部破断斜視図である。図２は、図１の調速装置の動作を示す詳細斜視図である。図３は、図１のくさりとくさりギヤの噛み合い状況を示す詳細斜視図である。図４は、発電装置を固定する打込設置具である。図５は、発電装置を固定する三脚設置具である。【００１０】  図において、くさり１の一端に重り２が設けられ、このくさり１は回転方向規制構造のくさりギャ３に噛み合わされ、このくさりギヤ３に軸６の一端により結合された調速ギヤ５Ｇ、この調速ギヤ５Ｇに噛み合わされた調速元ギヤ５Ｅ、この調速元ギヤ５Ｅに調速軸５Ｆにより結合された振子ギヤ５Ｃ、この振子ギヤ５Ｃに噛み合う二個の振子ピン５Ｄ、この振子ピン５Ｄを固着した振子支幹５Ｈ、この振子支幹５Ｈの一端に振子５Ｂ、他端に振子支点５Ａを有する調速装置５を設け、くさりギヤ３に軸６の他端により結合された元ギヤ１０Ａ、この元ギヤ１０Ａに噛み合わされた増速ギヤ１０Ｂ、この増速ギヤ１０Ｂに軸７により結合された元ギヤ１０Ｃ、図示しない複数組のギヤ、増速ギヤ１０Ｇに軸１２により結合された元ギヤ１０Ｈ、この元ギヤ１０Ｈに噛み合わされた増速ギヤ１０Ｊ等を所定の組数（元ギヤ１０Ａと増速ギヤ１０Ｂを一組として）を有するギヤ装置１０を設け、軸５Ｆ、６、７、１２、１３等は軸受（図示せず）各２個で支持し、最終増速ギヤ１０Ｊには軸１３により結合された畜勢輪８と、電力を発生させる発電機１１を設け、この発生電力を変圧器９に供給するようにリード線２０で接続し、支持ポール１５を有する外箱１６に収納し、くさり１の両端、重り２は外箱１６の外部に引き出して操作可能にし、変圧器９から電源コンセント１４にリード線１９で接続し、くさり１の他端の動作ピン４により動作するリミットスイッチ１７で点灯する表示ランプ１８も、リード線２１で接続して使用可能なように構成している。【００１１】  なお、図１、図２において、調速装置５は、くさりギヤ３の回転速度を調整するもので、この回転速度を軸６の一端により結合された調速ギヤ５Ｇ、この調速ギヤ５Ｇに噛み合わされた調速元ギヤ５Ｅ、この調速元ギヤ５Ｅに調速軸５Ｆにより結合された振子ギヤ５Ｃに伝え、振子支幹５Ｈに固着した略Ｌ字状の二個の振子ピン５Ｄの片方が、振子ギヤ５Ｃのギヤ歯先５Ｃｂから外れる振子５Ｂの左右両端位置毎に、ギヤ歯先５Ｃｂの１個分が回転するように形成する。ただし、ギヤ歯先５Ｃｂの先端幅はギヤ歯間５Ｃａの歯間幅より小さくし、振子５Ｂは位置変更可能に形成する。また、調速ギヤ５Ｇと調速元ギヤ５Ｅのギヤ比は、くさりギヤ３と振子ギヤ５Ｃの回転速度が同期のとれるように設定する。この調速装置５を設けたことで、前記発電機１１は常に一定回転速度で運転することができる。【００１２】  また、図３において、くさりギヤ３は、重り２の降下する方向の回転方向（矢印）では軸６に噛み合い、重り２を引き上げる方向の逆回転方向では軸６に対して空回りする、回転方向規制構造に形成されている。また、くさりギヤ歯３ａ等は、先端を厚み薄く突起状の形にしてくさり１が勘合し易くし、一側面は丸く傾斜させる等してくさり１が引っ掛かり易くする。また、くさり１は、くさり���１ａ、１ｃとくさり輪１ｂは向きが略９０度違うのでくさり輪１ｂは飛ばし、くさり輪１ａ、１ｃがくさりギヤ歯３ａ、３ｂと噛み合うように形成され、楕円形の連なりとしたが円形の連なりとすることもできる。
それに、くさり１とくさりギヤ３が噛み合う方式としたことで、ロープ式のように発電機の負荷が急増するような急変が起きても、スリップ等が生じることもなく安定した回転速度が得られる。【００１３】  また、前記ギヤ装置１０は、元ギヤ１０Ａと増速ギヤ１０Ｂを一組として所定の組数設けるが、くさりギヤ３の回転速度を増速するように連結しており、この組数を増加すれば全体の大きさを小さくすることができる。【００１４】  また、前記発電機１１は、発生電圧を交流１００Ｖ定格とすれば、昇圧する変圧器９は省くことができる。なお、交流１００Ｖ定格としたのは携帯電話メーカにより充電直流電圧が違うので、何れのメーカにも対応出来るようにしたものである。また、５Ｖ程度の電圧タップを有する直流発電機とすることもできる。【００１５】  また、図１において、畜勢輪８は発電機１１の回転を滑らかにするものであるが、回転が滑らかで安定する場合は省略することもできる。【００１６】  この発電装置は、例えば重り２は５ｋｇ、発電機１１は出力３〜５Ｗ、支持ポール１５は長さ２ｍ、重り２の引き上げ操作は２時間に一度程度を目標とする。【００１７】  この発電装置の設置、使用法について図１、図４、図５で説明すると、屋外で使用する場合は打込設置具２２を大地に打ち込み、支持ポール１５を上から差し込み組み立て、重り２を最上部まで引き上げ、振子５Ｂを動かせば発電を開始する。以後おもり２が下がり動作ピン４でリミットスイッチ１７が動作し、表示ランプ１８やブザーの警報が出たら、重り２の引き上げ操作を実施し、この操作を繰り返せば長時間の発電をすることができる。屋内で使用する場合は三脚設置具２３を床に設置し、支持ポール１５を上から差し込み組み立てる。
【符号の説明】
【００１８】１  くさり                  １ａ  くさり輪          １ｂ  くさり輪
１ｃ  くさり輪              ２  重り                ３  くさりギヤ
３ａ  くさりギヤ歯          ３ｂ  くさりギヤ歯      ４  動作ピン
５  調速装置                ５Ａ  振子支点          ５Ｂ  振子
５Ｃ  振子ギヤ              ５Ｃａ  ギヤ歯間        ５Ｃｂ  ギヤ歯先
５Ｄ  振子ピン              ５Ｅ  調速元ギヤ        ５Ｆ  調速軸
５Ｇ  調速ギヤ              ５Ｈ  振子支幹          ６、７  軸
８  畜勢輪                  ９  変圧器              １０  ギヤ装置
１０Ａ  元ギヤ              １０Ｂ  増速ギヤ        １０Ｃ  元ギヤ
１０Ｇ  増速ギヤ            １０Ｈ  元ギヤ          １０Ｊ  増速ギヤ
１１  発電機                １２、１３  軸          １４  電源コンセント
１５  支持ポール            １６  外箱              １７  リミットスイッチ
１８  表示ランプ（ブザー）  １９  リード線          ２０  リード線
２１  リード線              ２２  打込設置具        ２３  三脚設置具
【図１】
2014043850.tif 000003
【図２】
2014043850.tif 000004
【図３】
2014043850.tif 000005
【図４】
2014043850.tif 000006
【図５】
2014043850.tif 000007